(57)【特許請求の範囲】
【請求項１】
ユーザの眼の虹彩に基づいてユーザの認証を行う虹彩認証装置であって、
画像表示手段と、
ユーザの眼の虹彩及び顔を撮像する虹彩認証用カメラと、
前記虹彩に基づくユーザ認証の前に、人間以外の複数種類の顔画像の候補の中から一つの前記顔画像をユーザに選択させ、前記ユーザによって選択された前記顔画像と予め登録されている顔画像とが一致するか否かによってユーザ認証を行う顔画像認証手段と、
前記ユーザによって選択された前記顔画像と予め登録されている前記顔画像とが一致すると判定された場合に、前記虹彩認証用カメラで撮影されている顔に代えて、予め登録されている前記顔画像を前記画像表示手段に表示させる画像表示制御手段と、
を備える虹彩認証装置。
【請求項２】
前記画像表示制御手段は、前記虹彩認証用カメラで撮像された顔の特定部位の位置と予め登録されている前記顔画像の特定部位の位置とが一致するように、前記顔画像を前記画像表示手段に表示させる請求項１記載の虹彩認証装置。
【請求項３】
前記画像表示制御手段は、前記ユーザの顔の位置及び大きさに追従して、予め登録されている前記顔画像を前記画像表示手段に表示させる請求項１又は請求項２記載の虹彩認証装置。
【請求項４】
ユーザの眼の虹彩に基づいてユーザの認証を行う虹彩認証方法であって、
前記虹彩に基づくユーザ認証の前に、人間以外の複数種類の顔画像の候補の中から一つの前記顔画像をユーザに選択させ、前記ユーザによって選択された前記顔画像と予め登録されている顔画像とが一致するか否かによってユーザ認証を行う工程と、
ユーザの眼の虹彩及び顔を虹彩認証用カメラによって撮像する工程と、
前記ユーザによって選択された前記顔画像と予め登録されている前記顔画像とが一致した場合に、前記虹彩認証用カメラで撮影されている顔に代えて、予め登録されている前記顔画像を画像表示手段に表示させる工程と、
を有する虹彩認証方法。
【請求項５】
ユーザの眼の虹彩に基づいてユーザの認証を行う虹彩認証をコンピュータに実行させるためのプログラムであって、
前記虹彩に基づくユーザ認証の前に、人間以外の複数種類の顔画像の候補の中から一つの前記顔画像をユーザに選択させ、前記ユーザによって選択された前記顔画像と予め登録されている顔画像とが一致するか否かによってユーザ認証を行う処理と、
虹彩認証用カメラによってユーザの眼の虹彩及び顔を撮像する処理と、
前記ユーザによって選択された前記顔画像と予め登録されている前記顔画像とが一致した場合に、前記虹彩認証用カメラで撮影されている顔に代えて、予め登録されている前記顔画像を画像表示手段に表示させる処理と、
を含むプログラム。
【発明の詳細な説明】
【技術分野】
【０００１】
本発明は、虹彩認証装置、虹彩認証方法、及びプログラムに関するものである。
【背景技術】
【０００２】
近時、各種の生体認証技術が実用化されている。例えば、生体認証技術の１つとして、虹彩認証（Iris  authentication）がある。虹彩認証は、個人の眼の虹彩の高解像度の画像にパターン認識技術を応用して行われる。虹彩認証は、誤認率が極めて低く、認証精度が高いものとなっている。
【０００３】
虹彩認証は、当初、銀行、政府機関、及び軍隊等で使用されていたが、特許文献１に開示されているように、スマートフォンやＰＣ等の情報端末にも使用されており、広く普及しつつある。
【先行技術文献】
【特許文献】
【０００４】
【特許文献１】特開２０１２−１４７３０６号公報
【発明の概要】
【発明が解決しようとする課題】
【０００５】
虹彩認証を行うための虹彩認証用カメラとしては、例えば、高画素でかつ画角が狭い赤外線カメラが用いられる。そして、虹彩認証の対象となるユーザは、自身の顔と眼が虹彩認証用カメラの画角に入っていることを確認する必要がある。このために、ライブプレビューによって、モニターに自身の顔が表示される。
【０００６】
しかしながら、虹彩認証用カメラで撮影された顔がモニターに映し出されることに不快感を覚えるユーザがいる。例えば、虹彩認証用カメラで撮影された顔が、血管が浮き上がった白黒の顔画像で表示されるような場合に、不快感を覚えるユーザは少なくない。また、その他にも、顔に負った怪我等により一時的であっても、カメラで撮像された自身の顔を見ることに不快感を覚えるユーザもいる。
【０００７】
本発明は、このような事情に鑑みてなされたものであって、虹彩認証用カメラで撮像された自身の顔を見ることに対するユーザの不快感を和らげることができる、虹彩認証装置、虹彩認証方法、及びプログラムを提供することを目的とする。
【課題を解決するための手段】
【０００８】
上記課題を解決するために、本発明の虹彩認証装置、虹彩認証方法、及びプログラムは以下の手段を採用する。
【０００９】
本発明の第一態様に係る虹彩認証装置は、ユーザの眼の虹彩に基づいてユーザの認証を行う虹彩認証装置であって、画像表示手段と、ユーザの眼の虹彩及び顔を撮像する虹彩認証用カメラと、前記虹彩に基づくユーザ認証の前に、人間以外の複数種類の顔画像の候補の中から一つの前記顔画像をユーザに選択させ、前記ユーザによって選択された前記顔画像と予め登録されている顔画像とが一致するか否かによってユーザ認証を行う顔画像認証手段と、前記ユーザによって選択された前記顔画像と予め登録されている前記顔画像とが一致すると判定された場合に、前記虹彩認証用カメラで撮影されている顔に代えて予め登録されている前記顔画像を前記画像表示手段に表示させる画像表示制御手段と、を備える。
【００１０】
本発明の第二態様に係る虹彩認証方法は、ユーザの眼の虹彩に基づいてユーザの認証を行う虹彩認証方法であって、前記虹彩に基づくユーザ認証の前に、人間以外の複数種類の顔画像の候補の中から一つの前記顔画像をユーザに選択させ、前記ユーザによって選択された前記顔画像と予め登録されている顔画像とが一致するか否かによってユーザ認証を行う工程と、ユーザの眼の虹彩及び顔を虹彩認証用カメラによって撮像する工程と、前記ユーザによって選択された前記顔画像と予め登録されている前記顔画像とが一致した場合に、前記虹彩認証用カメラで撮影されている顔に代えて、予め登録されている前記顔画像を画像表示手段に表示させる工程と、を有する。
【００１１】
本発明の第三態様に係るプログラムは、ユーザの眼の虹彩に基づいてユーザの認証を行う虹彩認証をコンピュータに実行させるためのプログラムであって、前記虹彩に基づくユーザ認証の前に、人間以外の複数種類の顔画像の候補の中から一つの前記顔画像をユーザに選択させ、前記ユーザによって選択された前記顔画像と予め登録されている顔画像とが一致するか否かによってユーザ認証を行う処理と、虹彩認証用カメラによってユーザの眼の虹彩及び顔を撮像する処理と、前記ユーザによって選択された前記顔画像と予め登録されている前記顔画像とが一致した場合に、前記虹彩認証用カメラで撮影されている顔に代えて、予め登録されている前記顔画像を画像表示手段に表示させる処理と、を含む。
【発明の効果】
【００１２】
本発明によれば、虹彩認証用カメラで撮像された自身の顔を見ることに対するユーザの不快感を和らげることができる、という効果を有する。
【図面の簡単な説明】
【００１３】
【図１】本発明の第１実施形態に係るノートＰＣの概略外観図である。
【図２】本発明の第１実施形態に係るノートＰＣの電気的構成を示すブロック図である。
【図３】赤外線カメラで撮像されたユーザの画像がタッチパネルディスプレイに表示された場合の例を示す図である。
【図４】本発明の第１実施形態に係るアバター画像がタッチパネルディスプレイに表示された場合の例を示す図である。
【図５】本発明の第１実施形態に係る虹彩認証機能に関する機能ブロック図である。
【図６】本発明の第１実施形態に係る虹彩認証処理の流れを示すフローチャートである。
【図７】本発明の第２実施形態に係るノートＰＣの概略外観図である。
【図８】本発明の第２実施形態に係るノートＰＣの電気的構成を示すブロック図である。
【図９】本発明の第２実施形態に係る虹彩認証機能に関する機能ブロック図である。
【図１０】本発明の第３実施形態に係る虹彩認証機能に関する機能ブロック図である。
【図１１】本発明の第３実施形態に係る虹彩認証処理の流れを示すフローチャートである。
【発明を実施するための形態】
【００１４】
以下に、本発明に係る虹彩認証装置、虹彩認証方法、及びプログラムの一実施形態について、図面を参照して説明する。
【００１５】
〔第１実施形態〕
以下、本発明の第１実施形態について説明する。
【００１６】
図１は、本実施形態に係るノートＰＣ１の概略外観図である。なお、本実施形態に係るノートＰＣ１は、例えば、ＯＳ（Operating  System）や予め定められたプログラム等を起動させる場合のユーザ認証として、赤外線カメラ６によって撮像された眼の虹彩に基づいた虹彩認証を行う。
【００１７】
ノートＰＣ１は、図１に示すように一例として、いずれも略直方体である本体側筐体２及びディスプレイ側筐体３を備える。
【００１８】
本体側筐体２は、入力部４を備える。入力部４は、ユーザによる入力操作を行うためのユーザインターフェースであり、文字、コマンド等の入力を受け付ける各種キーより構成されるキーボードや、画面上のカーソルを移動させたり、各種メニューを選択するタッチパッド、マウス、又はトラックポイント等を備えている。また、入力部４は、ソフトウェアキーボードとされてもよい。
【００１９】
ディスプレイ側筐体３は、画像を表示するタッチパネルディスプレイ５及び赤外線カメラ６を備える。
【００２０】
タッチパネルディスプレイ５は、入力される表示データをビデオ信号に変換し、変換したビデオ信号に応じた各種情報を表示画面に表示すると共に、ユーザの指及びタッチペン等の指示体を用いて行われる各種操作を検出する。
【００２１】
赤外線カメラ６は、虹彩認証を行う場合に用いられる虹彩認証用カメラであり、虹彩認証の対象となるユーザの眼の虹彩及び顔を撮像する。
【００２２】
本体側筐体２及びディスプレイ側筐体３は、それぞれの端部で左右一対の連結部８ａ，８ｂによって連結されている。連結部８ａ，８ｂは、ヒンジであり、本体側筐体２及びディスプレイ側筐体３を開閉自在に支持している。
【００２３】
図２は、ノートＰＣ１のハードウェアの構成を示す概略図である。
【００２４】
ノートＰＣ１は、ＣＰＵ（Central  Processing  Unit）２０、ＲＯＭ（Read  Only  Memory）２１、メモリ２２、ＬＣＤ（Liquid  Crystal  Display）２３、グラフィクスアダプタ２４、タッチセンサ２５、入力コントローラ２６、フラッシュメモリ２７、通信デバイス２８、及び電源回路２９を備えており、入力部４及び赤外線カメラ６を含む各部は、バス３０を介して直接または間接的に接続されている。なお、タッチパネルディスプレイ５は、ＬＣＤ２３とタッチセンサ２５を含んで構成される。
【００２５】
ＣＰＵ２０は、フラッシュメモリ２７に格納されたＯＳによりノートＰＣ１全体の制御を行うと共に、フラッシュメモリ２７に格納された各種のプログラムに基づいて、入力部４やタッチパネルディスプレイ５、赤外線カメラ６等を介したユーザの操作に応じた処理を実行する機能を有する。
【００２６】
ＲＯＭ２１は、ＢＩＯＳ（Basic  Input/Output  System）や各種データ等を格納している。
【００２７】
メモリ２２は、キャッシュメモリやＲＡＭ（Random  Access  Memory）で構成されており、ＣＰＵ２０の実行プログラムの読み込み、及び実行プログラムによる処理データの書き込みを行う作業領域として利用される書き込み可能なメモリである。
【００２８】
ＬＣＤ２３は、ＣＰＵ２０の制御に従って、グラフィクスアダプタ２４からのビデオ信号を画像として表示する。
【００２９】
グラフィクスアダプタ２４は、ＣＰＵ２０の制御に従って、表示情報をビデオ信号に変換し、変換したビデオ信号をＬＣＤ２３に出力する。
【００３０】
タッチセンサ２５は、ＬＣＤ２３に対するユーザの指及びタッチペン等のタッチ位置を検出して、入力コントローラ２６に出力する。そして、タッチセンサ２５は、ＬＣＤ２３の画面に表示される各種メニュー、アイコン、ボタン、及びキーボード等の画面オブジェクトを選択して入力操作を行ったり、テキストの入力操作や、スクロールやスワイプ等の画面操作がユーザの指やタッチペン等により行われる。
【００３１】
入力コントローラ２６は、プロセッサがＲＯＭ２１等に格納されたプログラムを実行することにより各種処理を行い、タッチセンサ２５の動作を制御する。
【００３２】
フラッシュメモリ２７は、ノートＰＣ１全体の制御を行うためのＯＳ、周辺機器類をハードウェア操作するための各種ドライバ、特定業務に向けられたアプリケーション、及び各種データやファイル等を格納する機能を有する。なお、ノートＰＣ１は、フラッシュメモリ２７に替わる記憶手段としてＨＤＤ（Hard  Disk  Drive）等、他の記憶手段を備えてもよい。
【００３３】
通信デバイス２８は、他のデバイスとの間との通信を行う。
【００３４】
電源回路２９は、ＡＣアダプタ、インテリジェント電池、インテリジェント電池を充電するための充電器、及びＤＣ／ＤＣコンバータ等を備えており、ＣＰＵ２０の制御に従って、各デバイスに電力を供給する。
【００３５】
図３は、赤外線カメラ６で撮像されているユーザの顔の画像（以下「実顔画像」という。）４０がタッチパネルディスプレイ５（ＬＣＤ２３）に表示された場合の例を示す図である。
【００３６】
実顔画像４０は、予め設定された認証用画像表示領域４１に表示される。認証用画像表示領域４１には、認証判定可能領域４２、及び認証判定可能領域４２を横切る水平線４３が予め設定されている。水平線４３は、赤外線カメラ６の画角の略中心領域を横切るように設定されている。
【００３７】
ユーザは、虹彩認証を可能とするために、実顔画像４０の眼の位置が水平線４３と一致し、かつ認証判定可能領域４２の所定割合以上を顔が占めるように、赤外線カメラ６に対して自身を移動させる。このとき、血管が浮き上がった自身の顔が白黒で実顔画像４０として表示されるため、実顔画像４０の表示に不快感を覚えるユーザも存在する。
【００３８】
そこで、本実施形態に係るノートＰＣ１では、虹彩認証の実行中にユーザの顔を、実顔画像４０とは異なる顔画像（以下「アバター画像」という。）４４でタッチパネルディスプレイ５に表示させることができる。
【００３９】
図４は、本実施形態に係るアバター画像４４がタッチパネルディスプレイ５に表示された場合の例を示す図である。図４の例では、アバター画像４４として猫の顔画像が表示されているが、これは一例であり、アバター画像４４は、ユーザが任意に選択して設定することが可能であり、猫以外の動物の顔の画像等、予め用意された人間以外の顔の画像や、予め用意された自身や他人の顔の画像であってもよい。また、アバター画像４４は、ユーザが設定せずに、ノートＰＣ１が選択するものでもよく、虹彩認証毎にランダムに変化されてもよい。
【００４０】
なお、図４の例では、赤外線カメラ６で撮像された画像は、タッチパネルディスプレイ５には一切表示されず、認証用画像表示領域４１内の画像全体がアバター画像４４及びその背景画像（例えば無地の白色）である。しかし、これに限らず、赤外線カメラ６で撮像された画像のうち、人の顔のみがアバター画像４４で、その背景を赤外線カメラ６で撮像された背景としてもよい。
【００４１】
図５は、本実施形態に係る虹彩認証機能に関する機能ブロック図である。
【００４２】
ＣＰＵ２０は、顔認識部５０、アバター画像読取部５１、画像表示制御部５２、位置判定部５３、及び虹彩認証部５４を備える。なお、ＣＰＵ２０が有する各機能は、プログラムによって実現される。
【００４３】
顔認識部５０は、赤外線カメラ６で撮像された画像から人の顔を認識する。
【００４４】
アバター画像読取部５１は、メモリ２２からユーザが予め設定したアバター画像４４を読み取る。
【００４５】
画像表示制御部５２は、アバター画像読取部５１によって読み取られたアバター画像４４を、グラフィクスアダプタ２４を介してタッチパネルディスプレイ５に表示させる。
【００４６】
なお、画像表示制御部５２は、認証判定可能領域４２に対する、実顔画像４０の特定部位の位置とアバター画像４４の特定部位の位置とが一致するように、アバター画像４４をタッチパネルディスプレイ５に表示させる。具体的には、特定部位は眼であり、画像表示制御部５２は、実顔画像４０における左右の眼の中心位置を通る横軸を抽出して、アバター画像４４における左右の眼の中心位置を通る横軸と一致させる。なお、特定部位は眼に限らず、鼻、口、又は耳等、顔を構成する他の部位であってもよい。
【００４７】
また、画像表示制御部５２は、ユーザの顔の位置及び大きさに追従して、アバター画像４４をタッチパネルディスプレイ５に表示させる。より詳細には、実顔画像４０とアバター画像４４との眼の中心位置を合わせ、これを起点にアバター画像４４の動きをユーザの顔の位置や大きさに追従させる。眼の中心位置とは、例えば、右眼の中心位置と左眼の中心位置を通る横軸の中心位置である（図３，４における右眼からの距離Ａと左眼からの距離Ｂとが一致する位置Ｃ）。
【００４８】
アバター画像４４の位置は、赤外線カメラ６を基準とした上下及び左右方向に対するユーザの顔の位置に対応する。
【００４９】
一方、アバター画像４４の大きさは、赤外線カメラ６に対するユーザの近遠、換言すると奥行きに対応する。すなわち、赤外線カメラ６に対してユーザが離れた位置で撮像されると、アバター画像４４は相対的に小さく表示される。一方、赤外線カメラ６に対してユーザが近い位置で撮像されると、アバター画像４４は相対的に大きく表示される。
【００５０】
赤外線カメラ６に対するユーザの近遠は、認証用画像表示領域４１又は赤外線カメラ６の画角に対して顔が占める割り合い、眼、口、鼻等の顔を構成する各部分の位置関係に基づいて検出される。
【００５１】
さらに、画像表示制御部５２は、ユーザがまばたきをした場合、アバター画像４４もそれに追従してまばたきをさせるアニメーション機能を有する。これにより、ユーザは、アバター画像４４が自身の顔の動きに追従していることを明確に認識できる。
【００５２】
なお、アニメーション機能は、まばたきに限らず、ユーザの口の動きや眉の動き等にもアバター画像４４を追従させてもよい。
【００５３】
位置判定部５３は、アバター画像４４（実顔画像４０）の眼の位置が水平線４３と一致し、かつ認証判定可能領域４２の所定割合以上を占めているか否かを判定する。
【００５４】
虹彩認証部５４は、赤外線カメラ６で撮像された眼の虹彩に基づいて、虹彩認証を行う。
【００５５】
図６は、本実施形態に係る撮像画像置換機能を含む虹彩認証処理の流れを示すフローチャートである。なお、虹彩認証処理は、例えば、ユーザがノートＰＣ１を起動してログインする場合や、所定のプログラム等を起動させる場合に実行される。
【００５６】
ステップ１００は、赤外線カメラ６による撮像が開始される。
【００５７】
次のステップ１０２では、赤外線カメラ６によって人の顔が撮像されたか否かを判定し、肯定判定の場合はステップ１０４へ移行する。なお、人の顔が撮像されたか否かは、顔認識部５０によって判定される。
【００５８】
ステップ１０４では、アバター画像４４をタッチパネルディスプレイ５に表示する。
【００５９】
次のステップ１０６では、実顔画像４０が所定範囲内であるか否かを判定し、肯定判定の場合はステップ１０８へ移行し、否定判定の場合はステップ１０７へ移行する。すなわちステップ１０６では、アバター画像４４の眼の位置が水平線４３と一致し、かつ認証判定可能領域４２の所定割合以上を占めているか否かを位置判定部５３が判定する。
【００６０】
ステップ１０７では、アバター画像４４が所定範囲内でないことをユーザへ報知する。例えば、ユーザが赤外線カメラ６に対して離れすぎている場合は、赤外線カメラ６に顔を近づけるように促すように報知される。ユーザが赤外線カメラ６に対して近づきすぎている場合は、赤外線カメラ６から顔を遠ざけるように促すように報知される。アバター画像４４の眼が水平線４３に対して上に位置している場合は、赤外線カメラ６に対して顔を下方向へ移動させるように促すように報知される。アバター画像４４の眼が水平線４３に対して下に位置している場合は、赤外線カメラ６に対して顔を上方向へ移動させるように促すように報知される。
【００６１】
報知方法は、例えば、タッチパネルディスプレイ５にメッセージを表示したり、人の音声を出力したり、アバター画像４４に対応した音（猫の鳴き声）等を出力する等である。また、赤外線カメラ６の位置を示す矢印画像等をタッチパネルディスプレイ５に表示させてもよい。また、別の報知方法として、認証判定可能領域４２の外縁の色を変化させてもよい。例えば、ユーザが赤外線カメラ６に対して離れすぎている場合又は近すぎている場合は、認証判定可能領域４２の外縁が赤色となる。一方、ユーザと赤外線カメラ６との距離が適切な距離となった場合は、認証判定可能領域４２の外縁が緑色となる。
【００６２】
アバター画像４４が所定範囲内となるまで、ステップ１０６とステップ１０７が繰り返される。
【００６３】
ステップ１０８では、赤外線カメラ６によって撮像された眼の虹彩に基づいて虹彩認証を行う。なお、虹彩認証は、従来既知のものでよく、例えば、予め登録されているユーザの虹彩情報と赤外線カメラ６で撮像した虹彩とを画像マッチング（パターン認識）することで認証を行う。
【００６４】
以上説明したように、本実施形態に係る虹彩認証装置であるノートＰＣ１は、虹彩認証の実行中に赤外線カメラ６で撮像された人の顔を、赤外線カメラ６で撮像された顔とは異なるアバター画像４４をタッチパネルディスプレイ５に表示させる。従って、本実施形態に係る虹彩認証装置は、虹彩認証用カメラである赤外線カメラ６で撮像された自身の顔を見ることに対するユーザの不快感を和らげることができる。
【００６５】
〔第２実施形態〕
以下、本発明の第２実施形態について説明する。
【００６６】
図７は、本実施形態に係るノートＰＣ１の概略外観図である。図７における図１と同一の構成部分については図１と同一の符号を付して、その説明を省略する。図８は、本実施形態に係るノートＰＣ１の電気的構成を示すブロック図である。図８における図２と同一の構成部分については図２と同一の符号を付して、その説明を省略する。
【００６７】
本実施形態に係るノートＰＣ１は、ディスプレイ側筐体３にカメラ７を備える。
【００６８】
カメラ７は、虹彩認証用カメラである赤外線カメラ６とは異なるカメラであり、虹彩認証に利用可能な程度に虹彩を撮像できない一般的なカメラ７である。すなわち、カメラ７は、主に可視光領域に感度を持つ一方、赤外線に感度を持たない。なお、本実施形態に係る虹彩認証は、赤外線カメラ６で撮像された眼の虹彩に基づいて行われる。
【００６９】
図９は、本実施形態に係る虹彩認証機能に関する機能ブロック図である。図９における図５と同一の構成部分については図５と同一の符号を付して、その説明を一部省略する。
【００７０】
顔認識部５０は、赤外線カメラ６で撮像された画像から人の顔を認識すると共に、カメラ７で撮像された画像から人の顔を認識する。すなわち、ユーザは、自身の顔を同時に赤外線カメラ６及びカメラ７で撮像する。
【００７１】
画像表示制御部５２は、赤外線カメラ６で撮像された顔を、グラフィクスアダプタ２４を介してタッチパネルディスプレイ５に表示させる。
【００７２】
このように、本実施形態に係るノートＰＣ１は、虹彩認証の際に、プレビュー画像として赤外線カメラ６で撮像された自身の顔でなく、同時にカメラ７で撮像された自身の顔画像をタッチパネルディスプレイ５に表示する。従って、本実施形態に係るノートＰＣ１は、虹彩認証の際に、赤外線カメラ６で撮像された自身の顔を見ることに対するユーザの不快感を和らげ、かつより違和感なく虹彩認証を実行できる。
【００７３】
なお、一般的に、カメラ７は赤外線カメラ６よりも画角が広い。このため、本実施形態に係るノートＰＣ１は虹彩認証を行う際に、まず、カメラ７によってユーザを撮像してプレビュー画像を表示させることで、虹彩認証が可能となる大まかな位置へユーザを誘導する。その後、ノートＰＣ１は、赤外線カメラ６によってユーザを撮像し、アバター画像４４をタッチパネルディスプレイ５に表示し、虹彩認証を行ってもよい。
【００７４】
〔第３実施形態〕
以下、本発明の第３実施形態について説明する。
【００７５】
図１０は、本実施形態に係る虹彩認証機能に関する機能ブロック図であり、本実施形態に係るＣＰＵ２０はアバター画像認証部５５を備える。なお、図１０における図５と同一の構成部分については図５と同一の符号を付して、その説明を省略する。
【００７６】
本実施形態に係るメモリ２２は、複数種類の異なるアバター画像４４を記憶している。
【００７７】
アバター画像読取部５１は、メモリ２２に記憶されている複数種類の異なるアバター画像４４の候補から、ユーザによって選択された一つのアバター画像４４をメモリ２２から読み出す。
【００７８】
アバター画像認証部５５は、ユーザによって選択されたアバター画像４４が予め定められた種類のアバター画像４４（以下「登録アバター画像」という。）と一致するか否かによってユーザの認証を行う。なお、登録アバター画像は、予めユーザによって設定されている。
【００７９】
図１１は、本実施形態に係る虹彩認証処理の流れを示すフローチャートである。なお、図１１における図６と同一のステップについては図６と同一の符号を付して、その説明を一部又は全部省略する。
【００８０】
まず、ステップ２００では、複数種類の異なるアバター画像４４の候補から、一つのアバター画像４４をユーザが選択する。これにより、タッチパネルディスプレイ５には、ユーザによって選択されたアバター画像４４が表示される。
【００８１】
次のステップ２０２では、選択されたアバター画像４４が登録アバター画像と一致するか否かを判定し、肯定判定の場合はステップ１００へ移行する。否定判定の場合は、虹彩認証処理そのものを終了し、ユーザは、ステップ２００におけるアバター画像４４の選択からやり直す。
【００８２】
なお、ステップ２０２に係る処理は、例えば、ステップ１０８の後に行ってもよい。
【００８３】
このように、本実施形態に係るノートＰＣ１は、虹彩認証に加えて、選択されたアバター画像４４が登録アバター画像と同一であるか否かによってユーザの認証を行うので、よりセキュリティ性の高い認証が可能となる。
【００８４】
以上、本発明を、上記各実施形態を用いて説明したが、本発明の技術的範囲は上記実施形態に記載の範囲には限定されない。発明の要旨を逸脱しない範囲で上記各実施形態に多様な変更又は改良を加えることができ、該変更又は改良を加えた形態も本発明の技術的範囲に含まれる。また、上記各実施形態を適宜組み合わせてもよい。
【００８５】
例えば、上記各実施形態では、虹彩認証機能をノートＰＣ１が有する形態について説明したが、本発明は、これに限定されるものではなく、デスクトップＰＣ、タブレットＰＣ、携帯電話、及びスマートフォン等、他の情報処理装置が虹彩認証機能を有していてもよいし、各実施形態に係る虹彩認証機能を建物や部屋へ入る際のセキュリティ装置が有していてもよい。
【００８６】
また、上記各実施形態では、虹彩認証用カメラを赤外線カメラ６とする形態について説明したが、本発明は、これに限定されるものではなく、虹彩を撮像できれば他のカメラとしてもよい。
【００８７】
また、上記各実施形態で説明した虹彩認証処理の流れも一例であり、本発明の主旨を逸脱しない範囲内において不要なステップを削除したり、新たなステップを追加したり、処理順序を入れ替えたりしてもよい。
【符号の説明】
【００８８】
１    ノートＰＣ（虹彩認証装置）
５    タッチパネルディスプレイ（画像表示手段）
６    赤外線カメラ（虹彩認証用カメラ）
７    カメラ（第２のカメラ）
５２  画像表示制御部（画像表示制御手段）
５５  アバター画像認証部（顔画像認証手段）
【図１】
0006450709.tif 000002
【図２】
0006450709.tif 000003
【図３】
0006450709.tif 000004
【図４】
0006450709.tif 000005
【図５】
0006450709.tif 000006
【図６】
0006450709.tif 000007
【図７】
0006450709.tif 000008
【図８】
0006450709.tif 000009
【図９】
0006450709.tif 000010
【図１０】
0006450709.tif 000011
【図１１】
0006450709.tif 000012